(57)【要約】【課題】簡単な装置構成で手軽に使用することが可能な顔画像処理装置を実現する。【解決手段】画像入力装置によって撮影された対象物の顔の画像に対して画像処理を行い情報を表示させる顔画像処理装置において、測定対象者の顔を映し出すミラー手段と、測定対象者が前記ミラー手段の表面に自らの顔を映し出した状態で、測定対象者の顔を撮影できる画角が得られるように設置された画像入力手段と、この画像入力手段で撮影された測定対象者の顔の画像から顔情報データを抽出し、予め格納されている顔情報データに基づき測定対象者の顔情報データにおける情報を推定して出力する画像処理手段と、この画像処理手段の出力に基づき情報を文字情報として表示させる表示手段とを設ける。【選択図】                    図１
2004151812.tif 000002
【特許請求の範囲】
【請求項１】
画像入力装置によって撮影された対象物の顔の画像に対して画像処理を行い情報を表示させる顔画像処理装置において、
測定対象者の顔を映し出すミラー手段と、
前記測定対象者が前記ミラー手段の表面に自らの顔を映し出した状態で、前記測定対象者の顔を撮影できる画角が得られるように設置された画像入力手段と、
この画像入力手段で撮影された前記測定対象者の顔の画像から顔情報データを抽出し、予め格納されている顔情報データに基づき前記測定対象者の顔情報データにおける前記情報を推定して出力する画像処理手段と、
この画像処理手段の出力に基づき前記情報を文字情報として表示させる表示手段と
を備えたことを特徴とする顔画像処理装置。
【請求項２】
画像入力装置によって撮影された対象物の顔の画像に対して画像処理を行い情報を表示させる顔画像処理装置において、
測定対象者の顔を映し出すミラー手段と、
前記測定対象者が前記ミラー手段の表面に自らの顔を映し出した状態で、前記測定対象者の顔を撮影できる画角が得られるように設置された画像入力手段と、
この画像入力手段で撮影された前記測定対象者の顔の画像から顔情報データを抽出し、予め格納されている顔情報データに基づき前記測定対象者の顔情報データにおける前記情報を推定して出力する画像処理手段と、
この画像処理手段の出力に基づき前記情報を音声として出力させる音声出力手段と
を備えたことを特徴とする顔画像処理装置。
【請求項３】
前記ミラー手段として表面が鏡であり裏面からは表面側の状況が透けて見えるマジックミラー手段を用い、
前記マジックミラー手段の裏面に前記画像入力手段を隠して配置したことを特徴とする
請求項１若しくは請求項２記載の顔画像処理装置。
【請求項４】
前記測定対象者の顔の任意の点にスポットを表示させて前記測定対象者にある任意の点を認識させる位置指示手段を備えたことを特徴とする
請求項１若しくは請求項２記載の顔画像処理装置。
【請求項５】
前記画像処理手段が、
前記画像入力手段で撮影された画像に顔が写っているか否かを検出して顔が映っている場合に画像を出力する顔検出手段と、
記憶手段と、
顔が映っている前記画像から顔領域を取り出して顔領域における特徴を示す顔情報データを抽出する特徴抽出手段と、
予め前記記憶手段に格納されている顔情報データに基づき前記測定対象者の顔情報データにおける前記情報を推定して出力する認識推定手段とから構成されたことを特徴とする
請求項１若しくは請求項２記載の顔画像処理装置。
【請求項６】
前記認識推定手段が、
前記記憶手段に格納されている前記測定対象者の過去の顔情報データと比較することによって測定対象者の前記情報を推定することを特徴とする
請求項５記載の顔画像処理装置。
【請求項７】
前記表示手段が、
ＬＣＤ表示器であることを特徴とする
請求項１記載の顔画像処理装置。
【請求項８】
前記表示手段が、
ＬＥＤ表示器であることを特徴とする
請求項１記載の顔画像処理装置。
【請求項９】
前記音声出力手段が、
スピーカであることを特徴とする
請求項２記載の顔画像処理装置。
【請求項１０】
前記音声出力手段が、
ヘッドフォンであることを特徴とする
請求項２記載の顔画像処理装置。
【請求項１１】
前記情報が、
前記測定対象者の年齢であることを特徴とする
請求項１乃至請求項６のいずれかに記載の顔画像処理装置。
【請求項１２】
前記情報が、
前記測定対象者の性別であることを特徴とする
請求項１乃至請求項６のいずれかに記載の顔画像処理装置。
【請求項１３】
前記情報が、
前記測定対象者の表情であることを特徴とする
請求項１乃至請求項６のいずれかに記載の顔画像処理装置。
【請求項１４】
前記情報が、
前記測定対象者の顔色であることを特徴とする
請求項１乃至請求項６のいずれかに記載の顔画像処理装置。
【発明の詳細な説明】
【０００１】
【発明の属する技術分野】
本発明は、カメラ等の画像入力装置によって撮影された対象物の顔の画像に対して画像処理を行い年齢、性別等の情報を表示させる顔画像処理装置に関し、特に簡単な装置構成で手軽に使用することが可能な顔画像処理装置に関する。
【０００２】
【従来の技術】
従来のカメラ等の画像入力装置によって撮影された測定対象者の顔の画像に対して画像処理を行い年齢、性別等の情報を表示させる顔画像処理装置に関連する先行技術文献としては次のようなものがある。
【０００３】
【特許文献１】
特開平７−１２８０３１号公報
【特許文献２】
特開２０００−２２２５７３号公報
【特許文献３】
特開２００１−３４６６２７号公報
【非特許文献１】
「Ａｇｅ  ａｎｄ  Ｇｅｎｄｅｒ  Ｅｓｔｉｍａｔｉｏｎ  ｆｒｏｍ  Ｆａｃｉａｌ  Ｉｍａｇｅ  Ｐｒｏｃｅｓｓｉｎｇ」：Ｊ．Ｈａｙａｓｈｉ  ｅｔ  ａｌ．，  ＳＩＣＥ２００２  Ａｕｇ．  ５−７，  ２００２，  Ｏｓａｋａ，  ＳＩＣＥ０２−００３５
【０００４】
図８はこのような従来の顔画像処理装置の一例を示す構成ブロック図である。図８において１はカメラ等の画像入力手段、２はコンピュータ等の画像処理を行う画像処理手段である。画像入力手段１の出力は画像処理手段２に接続される。
【０００５】
ここで、図８に示す従来例の動作を図９を用いて説明する。図９は画像処理手段２の表示手段に表示される画像等の一例を示す説明図である。
【０００６】
画像入力手段１は測定対象者の顔の画像を撮影して取得した顔の画像を画像処理手段２に出力する。例えば、画像入力手段１は図８”ＯＢ０１”に示すような測定対象者の顔の画像を撮影して取得した顔の画像を画像処理手段２に出力する。
【０００７】
一方、画像処理手段２は顔に関して予め保持している特徴量の情報に基づき顔の画像を画像処理して、性別、年齢、表情及び顔色等の情報を抽出し、ＣＲＴ（Ｃａｔｈｏｄｅ  Ｒａｙ  Ｔｕｂｅ）ディスプレイ等の表示手段上に測定対象の顔の画像を表示すると共に前述の各種情報を表示させる。
【０００８】
例えば、図９中”ＤＳ１１”に示すような画像処理手段２の表示手段上に図９中”ＦＩ１１”に示す取得した顔の画像を表示すると共に図９中”ＡＩ１１”に示すような”年齢：３０歳”や”性別：男性”と言った画像処理によって得られた各種情報を表示させる。
【０００９】
この結果、画像入力手段１で顔の画像を取得し、画像処理手段２に画像処理して性別、年齢、表情及び顔色等の情報を抽出して表示手段上に顔の画像と共に表示させることにより、測定対象者の各種情報を確認することが可能になる。
【００１０】
【発明が解決しようとする課題】
しかし、図８に示す従来例では、画像処理結果を表示させるためにはＣＲＴディスプレイ等の表示手段が必要になり、顔の画像を画像処理するためにはコンピュータ等の画像処理手段が必要になる。
【００１１】
すなわち、装置の構成が大掛かりになり、任意の時点で測定対象者の各種情報を確認するためには常時コンピュータ等の画像処理手段を稼動させておかなければならないと言った問題点があった。
従って本発明が解決しようとする課題は、簡単な装置構成で手軽に使用することが可能な顔画像処理装置を実現することにある。
【００１２】
【課題を解決するための手段】
このような課題を達成するために、本発明のうち請求項１記載の発明は、
画像入力装置によって撮影された対象物の顔の画像に対して画像処理を行い情報を表示させる顔画像処理装置において、
測定対象者の顔を映し出すミラー手段と、前記測定対象者が前記ミラー手段の表面に自らの顔を映し出した状態で、前記測定対象者の顔を撮影できる画角が得られるように設置された画像入力手段と、この画像入力手段で撮影された前記測定対象者の顔の画像から顔情報データを抽出し、予め格納されている顔情報データに基づき前記測定対象者の顔情報データにおける前記情報を推定して出力する画像処理手段と、この画像処理手段の出力に基づき前記情報を文字情報として表示させる表示手段とを備えたことにより、簡単な装置構成で手軽に使用することが可能になる。
【００１３】
請求項２記載の発明は、
画像入力装置によって撮影された対象物の顔の画像に対して画像処理を行い情報を表示させる顔画像処理装置において、
測定対象者の顔を映し出すミラー手段と、前記測定対象者が前記ミラー手段の表面に自らの顔を映し出した状態で、前記測定対象者の顔を撮影できる画角が得られるように設置された画像入力手段と、この画像入力手段で撮影された前記測定対象者の顔の画像から顔情報データを抽出し、予め格納されている顔情報データに基づき前記測定対象者の顔情報データにおける前記情報を推定して出力する画像処理手段と、この画像処理手段の出力に基づき前記情報を音声として出力させる音声出力手段とを備えたことにより、簡単な装置構成で手軽に使用することが可能になる。
【００１４】
請求項３記載の発明は、
請求項１若しくは請求項２記載の発明である顔画像処理装置において、
前記ミラー手段として表面が鏡であり裏面からは表面側の状況が透けて見えるマジックミラー手段を用い、前記マジックミラー手段の裏面に前記画像入力手段を隠して配置したことにより、測定対象者に画像入力手段よって撮影されていることを意識させることなく顔の画像を取得することが可能になる。
【００１５】
請求項４記載の発明は、
請求項１若しくは請求項２記載の発明である顔画像処理装置において、
前記測定対象者の顔の任意の点にスポットを表示させて前記測定対象者にある任意の点を認識させる位置指示手段を備えたことにより、任意の点における各種注意を促すことができる。
【００１６】
請求項５記載の発明は、
請求項１若しくは請求項２記載の発明である顔画像処理装置において、
前記画像処理手段が、
前記画像入力手段で撮影された画像に顔が写っているか否かを検出して顔が映っている場合に画像を出力する顔検出手段と、記憶手段と、顔が映っている前記画像から顔領域を取り出して顔領域における特徴を示す顔情報データを抽出する特徴抽出手段と、予め前記記憶手段に格納されている顔情報データに基づき前記測定対象者の顔情報データにおける前記情報を推定して出力する認識推定手段とから構成されたことにより、簡単な装置構成で手軽に使用することが可能になる。
【００１７】
請求項６記載の発明は、
請求項５記載の発明である顔画像処理装置において、
前記認識推定手段が、
前記記憶手段に格納されている前記測定対象者の過去の顔情報データと比較することによって測定対象者の前記情報を推定することにより、年齢、性別、表情及び顔色等の単純な情報ではなく、過去の情報との差異を確認することができる。
【００１８】
請求項７記載の発明は、
請求項１記載の発明である顔画像処理装置において、
前記表示手段が、
ＬＣＤ表示器であることにより、簡単な装置構成で手軽に使用することが可能になる。
【００１９】
請求項８記載の発明は、
請求項１記載の発明である顔画像処理装置において、
前記表示手段が、
ＬＥＤ表示器であることにより、簡単な装置構成で手軽に使用することが可能になる。
【００２０】
請求項９記載の発明は、
請求項２記載の発明である顔画像処理装置において、
前記音声出力手段が、
スピーカであることにより、簡単な装置構成で手軽に使用することが可能になる。
【００２１】
請求項１０記載の発明は、
請求項２記載の発明である顔画像処理装置において、
前記音声出力手段が、
ヘッドフォンであることにより、簡単な装置構成で手軽に使用することが可能になる。
【００２２】
請求項１１記載の発明は、
請求項１乃至請求項６のいずれかに記載の発明である顔画像処理装置において、
前記情報が、
前記測定対象者の年齢であることにより、簡単な装置構成で手軽に使用することが可能になる。
【００２３】
請求項１２記載の発明は、
請求項１乃至請求項６のいずれかに記載の発明である顔画像処理装置において、
前記情報が、
前記測定対象者の性別であることにより、簡単な装置構成で手軽に使用することが可能になる。
【００２４】
請求項１３記載の発明は、
請求項１乃至請求項６のいずれかに記載の発明である顔画像処理装置において、
前記情報が、
前記測定対象者の表情であることにより、簡単な装置構成で手軽に使用することが可能になる。
【００２５】
請求項１４記載の発明は、
請求項１乃至請求項６のいずれかに記載の発明である顔画像処理装置において、
前記情報が、
前記測定対象者の顔色であることにより、簡単な装置構成で手軽に使用することが可能になる。
【００２６】
【発明の実施の形態】
以下本発明を図面を用いて詳細に説明する。図１は本発明に係る顔画像処理装置の一実施例を示す正面図及び側面図である。
【００２７】
図１において３はカメラ等の画像入力手段、４は性別、年齢、表情及び顔色等の情報を文字情報として表示させることが可能なＬＣＤ（Ｌｉｑｕｉｄ  Ｃｒｙｓｔａｌ  Ｄｉｓｐｌａｙ）表示器やＬＥＤ（Ｌｉｇｈｔ  Ｅｍｉｔｔｉｎｇ  Ｄｉｏｄｅ  ）表示器等の情報伝達機器である表示手段、５は表面が鏡であり測定対象者の顔を映し出すミラー手段、６は画像処理を行う画像処理手段である。
【００２８】
ミラー手段５の裏面には画像処理手段６が設けられ、ミラー手段５の表面の一部であってミラー手段５の上部には表示手段４が設けられる。また、ミラー手段５の上部であってミラー手段５の水平方向の中心部分等には画像入力手段３が設けられる。
【００２９】
また、画像入力手段３及びミラー手段５の相互の位置関係としては、測定対象者がミラー手段５の表面（鏡）に自らの顔を映し出した状態で、測定対象者の顔を撮影できる画角が得られるように画像入力手段３が設置されるような位置関係になる。
【００３０】
ここで、図１に示す実施例の動作を図２及び図３を用いて説明する。図２は画像入力手段３、画像処理手段６及び表示手段４の電気的な接続関係を示す構成ブロック図、図３はミラー手段５に映し出された顔と表示手段の表示された各種情報の一例を示す説明図である。
【００３１】
図２において３，４及び６は図１と同一符号を付してあり、７は顔検出手段、８は特徴抽出手段、９及び１１は記憶手段、１０は認識推定手段である。また、７，８，９，１０及び１１は画像処理手段６を構成している。
【００３２】
画像入力手段３の出力は顔検出手段７に接続され、顔検出手段７の出力は特徴抽出手段８に接続される。特徴袖出手段８の出力は記憶手段９に接続され、記憶手段９の出力は認識推定手段１０に接続される。また、記憶手段１１の出力もまた認識推定手段１０に接続され、認識推定手段１０の出力は表示手段４に接続される。
【００３３】
画像入力手段３では画角内に存在する対象物等の画像を撮影して、取得した画像を顔検出手段７に出力する。顔検出手段７では入力された画像に顔が写っているか否かを検出する。
【００３４】
例えば、測定対象者の顔がミラー手段５に映し出されていると、画像入力手段３の画角には測定対象者の顔が入っているため、顔検出手段７で撮影された画像には測定対象者の顔が写っていることになる。
【００３５】
すなわち、図３中”ＭＲ２１”に示すミラー手段に図３中”ＦＩ２１”に示すように測定対象者の顔が映し出されている状態では、図３中”ＣＭ２１”に示す画像入力手段３の画角内に測定対象者の顔が入り、画像入力手段３で撮影された画像には測定対象者の顔が写っていることになる。
【００３６】
この時、図３中”ＭＲ２１”に示すミラー手段に図３中”ＦＩ２１”に示すように測定対象者の顔が映し出されているので、従来例のように別途表示手段上に測定対象者の顔を表示する必要は無くなる。
【００３７】
もし、入力された画像の顔が写っていれば、顔検出手段７は画像を特徴抽出手段８に出力し、特徴抽出手段８は当該画像から顔領域を取り出して顔の部位等、顔領域における特徴を示す顔情報データを抽出すると共に記憶手段９に格納する。
【００３８】
一方、記憶手段１１には予め年齢、性別、表情及び顔色等の顔情報データが格納されており、認識推定手段１０は記憶手段１１に予め格納されている顔情報データに基づき記憶手段９の格納されている測定対象者の顔情報データにおける年齢、性別、表情及び顔色等の測定対象者の各種情報を推定して表示手段４に出力する。最後に、表示手段４は入力された各種情報を文字情報として表示させる。
【００３９】
例えば、図３中”ＤＳ２１”に示す表示手段に図３中”ＡＩ２１”に示すような年齢、性別、表情及び顔色等の測定対象者の各種情報を表示させる。
【００４０】
この結果、測定対象者の顔がミラー手段５に映し出されている状態で画像入力手段３が測定対象者の顔を撮影して画像処理して測定対象者の各種情報を推定して文字情報として表示させることにより、簡単な装置構成で手軽に使用することが可能になる。
【００４１】
また、図４は本発明に係る顔画像処理装置の第２の実施例を示す正面図及び側面図である。
【００４２】
図４において４及び６は図１と同一符号を付してあり、１２はカメラ等の画像入力手段、１３は表面が鏡であり裏面からは表面側の状況が透けて見えるマジックミラー手段である。
【００４３】
また、マジックミラー手段１３は具体的には、明るい側に光を反射し、暗い側に光を透過させる膜をガラスに施した特殊な鏡である。
【００４４】
マジックミラー手段１３の裏面には画像処理手段６が設けられ、マジックミラー手段１３の表面の一部であってマジックミラー手段１３の上部には表示手段４が設けられる。また、マジックミラー手段１３の裏面には画像入力手段１２が設けられる。
【００４５】
また、画像入力手段１２及びマジックミラー手段１３の相互の位置関係としては、測定対象者がマジックミラー手段１３の表面（鏡）に自らの顔を映し出した状態で、測定対象者の顔を撮影できる画角が得られるようにマジックミラー手段１３の裏面に画像入力手段１２が設置されるような位置関係になる。
【００４６】
ここで、図４に示す第２の実施例の動作を説明する。但し、画像処理手段６等に関する基本的な動作は図１に示す実施例と同様であるのでその部分の説明は省略する。
【００４７】
マジックミラー手段１３の裏面に配置された画像入力手段１２では画角内に存在する対象物等の画像を撮影する。
【００４８】
例えば、測定対象者の顔がマジックミラー手段１３に映し出されていると、マジックミラー手段１３の裏面に配置された画像入力手段１２の画角には測定対象者の顔が入っているため、顔検出手段７で撮影された画像には測定対象者の顔が写っていることになる。
【００４９】
この結果、測定対象者の顔が映し出されているマジックミラー手段１３の裏面に画像入力手段１２を隠して配置することにより、測定対象者に画像入力手段１２によって撮影されていることを意識させることなく顔の画像を取得することが可能になる。
【００５０】
また、図５は本発明に係る顔画像処理装置の第３の実施例を示す正面図及び側面図である。図５において３，５及び６は図１と同一符号を付してあり、１４はスピーカ等の情報伝達機器である音声出力手段である。
【００５１】
ミラー手段５の裏面には画像処理手段６が設けられ、ミラー手段５の上部であってミラー手段５の水平方向の中心部分等には画像入力手段３が設けられる。また、画像処理手段６の側面には音声出力手段１４が設けられる。
【００５２】
また、画像入力手段３及びミラー手段５の相互の位置関係としては、測定対象者がミラー手段５の表面（鏡）に自らの顔を映し出した状態で、測定対象者の顔を撮影できる画角が得られるように画像入力手段３が設置されるような位置関係になる。
【００５３】
ここで、図５に示す第３の実施例の動作を説明する。但し、画像処理手段６等に関する基本的な動作は図１に示す実施例と同様であるのでその部分の説明は省略する。
【００５４】
図１に示す実施例と同様に、画像入力手段３で撮影された測定対象者の顔の画像から顔情報データを抽出し、測定対象者の顔情報データにおける年齢、性別、表情及び顔色等の測定対象者の各種情報を推定して音声出力手段１４から音声により各種情報を測定対象者に伝達する。
【００５５】
この結果、音声出力手段１４から音声により各種情報を測定対象者に伝達することにより、測定対象者は表示手段に表示される文字情報を読むことなく、容易に年齢、性別、表情及び顔色等の測定対象者の各種情報を認識することができる。
【００５６】
また、図６は本発明に係る顔画像処理装置の第４の実施例を示す側面図である。図６において３，４，５及び６は図１と同一符号を付してあり、１５はレーザポインタ等を用いた位置指示手段である。
【００５７】
ミラー手段５の裏面には画像処理手段６が設けられ、ミラー手段５の表面の一部であってミラー手段５の上部には表示手段４が設けられる。また、ミラー手段５の上部であってミラー手段５の水平方向の中心部分等には画像入力手段３が設けられる。
【００５８】
また、画像入力手段３及びミラー手段５の相互の位置関係としては、測定対象者がミラー手段５の表面（鏡）に自らの顔を映し出した状態で、測定対象者の顔を撮影できる画角が得られるように画像入力手段３が設置されるような位置関係になる。さらに、画像処理手段３の側面等には位置指示手段１５が設けられる。
【００５９】
ここで、図６に示す第４の実施例の動作を図７を用いて説明する。図７はミラー手段５に映し出された顔と表示手段の表示された各種情報の一例を示す説明図である。但し、画像処理手段６等に関する基本的な動作は図１に示す実施例と同様であるのでその部分の説明は省略する。
【００６０】
画像処理手段６は位置指示手段１５を制御して測定対象者の顔上の任意の点にレーザ光等を照射して光のスポットを表示させることにより、測定対象者にある任意の点を認識させる。
【００６１】
例えば、図６中”ＰＴ３１”に示すように位置指示手段１５からのレーザ光等の照射により測定対象者の顔の任意の点に光のスポットを表示させる。
【００６２】
この時、図７中”ＭＲ４１”に示すミラー手段には図７中”ＦＩ４１”に示す測定対象者の顔と、図７中”ＰＴ４１”に示すようなスポットが併せて映し出されることになり、測定対象者は映し出されたスポットを確認することにより、任意の点を認識することが可能になる。
【００６３】
例えば、肌荒れ、にきび、化粧むら、ひげ等の位置を測定対象者に認識させることにより、当該位置における肌荒れやにきびの発生、或いは、当該位置における化粧むらやひげの剃り残し等の各種注意を促すことができる。
【００６４】
この結果、測定対象者の顔の任意の点にレーザ光等を照射して光のスポットを表示させて測定対象者にある任意の点を認識させることにより、当該任意の点における各種注意を促すことができる。
【００６５】
なお、図１に示す実施例では、認識推定手段１０は記憶手段１１に予め格納されている顔情報データに基づき記憶手段９の格納されている測定対象者の顔情報データにおける年齢、性別、表情及び顔色等の測定対象者の各種情報を推定しているが、記憶手段９に格納されている測定対象者の過去の顔情報データと比較することによって測定対象者の各種情報を推定しても構わない。
【００６６】
この場合には、年齢、性別、表情及び顔色等の単純な情報ではなく、過去の情報との差異を確認することができる。
【００６７】
また、図２の説明に際しては説明の簡単のため、２つの記憶手段９及び１１を例示して説明しているが、勿論、１つの記憶手段の記憶領域を分割して取得した顔情報データ及び予め格納されている顔情報データを分けて管理しても構わない。
【００６８】
また、図２の説明では、入力された画像の顔が写っていれば、顔検出手段７は画像を特徴抽出手段８に出力し、特徴抽出手段８は当該画像から顔領域を取り出して顔の部位等、顔領域における特徴を示す顔情報データを抽出すると共に記憶手段９に格納する旨記載されているが、抽出した顔情報データを一旦記憶手段９に格納しなくても勿論構わない。
【００６９】
また、図５に示す第３の実施例では、音声出力手段１４としてスピーカを例示しているが、ヘッドフォン等の音声出力手段であっても勿論構わない。
【００７０】
また、図５に示す第３の実施例では、通常の鏡であるミラー手段５を用いているが、図４に示す第２の実施例のようにマジックミラー手段を用いて、当該マジックミラー手段の裏面に画像入力手段を隠して配置しても構わない。
【００７１】
【発明の効果】
以上説明したことから明らかなように、本発明によれば次のような効果がある。
請求項１，２，５，７，８，９，１０，１１，１２，１３及び請求項１４の発明によれば、測定対象者の顔がミラー手段に映し出されている状態で画像入力手段が測定対象者の顔を撮影して画像処理して測定対象者の各種情報を推定して文字情報として表示、若しくは、音声として出力させることにより、簡単な装置構成で手軽に使用することが可能になる。
【００７２】
また、請求項３の発明によれば、測定対象者の顔が映し出されているマジックミラー手段の裏面に画像入力手段を隠して配置することにより、測定対象者に画像入力手段によって撮影されていることを意識させることなく顔の画像を取得することが可能になる。
【００７３】
また、請求項４の発明によれば、測定対象者の顔の任意の点にレーザ光等を照射して光のスポットを表示させて測定対象者にある任意の点を認識させることにより、当該任意の点における各種注意を促すことができる。
【００７４】
また、請求項６の発明によれば、記憶手段に格納されている測定対象者の過去の顔情報データと比較することによって測定対象者の各種情報を推定することにより、年齢、性別、表情及び顔色等の単純な情報ではなく、過去の情報との差異を確認することができる。
【図面の簡単な説明】
【図１】本発明に係る顔画像処理装置の一実施例を示す正面図及び側面図である。
【図２】画像入力手段、画像処理手段及び表示手段の電気的な接続関係を示す構成ブロック図である。
【図３】ミラー手段に映し出された顔と表示手段の表示された各種情報の一例を示す説明図である。
【図４】本発明に係る顔画像処理装置の第２の実施例を示す正面図及び側面図である。
【図５】本発明に係る顔画像処理装置の第３の実施例を示す正面図及び側面図である。
【図６】本発明に係る顔画像処理装置の第４の実施例を示す側面図である。
【図７】ミラー手段に映し出された顔と表示手段の表示された各種情報の一例を示す説明図である。
【図８】従来の顔画像処理装置の一例を示す構成ブロック図である。
【図９】画像処理手段の表示手段に表示される画像等の一例を示す説明図である。
【符号の説明】
１，３，１２  画像入力手段
２，６  画像処理手段
４  表示手段
５  ミラー手段
７  顔検出手段
８  特徴抽出手段
９，１１  記憶手段
１０  認識推定手段
１３  マジックミラー手段
１４  音声出力手段
１５  位置指示手段
【図１】
2004151812.tif 000003
【図２】
2004151812.tif 000004
【図３】
2004151812.tif 000005
【図４】
2004151812.tif 000006
【図５】
2004151812.tif 000007
【図６】
2004151812.tif 000008
【図７】
2004151812.tif 000009
【図８】
2004151812.tif 000010
【図９】
2004151812.tif 000011